(57)【要約】【課題】  整形バイザー部とキャップ部をそれぞれ装着可能であって、整形バイザー部とキャップ部を組み合わせて帽子を形成でき、かつ、頭部に装着してもヘアースタイルを崩すことの無い帽子を提供する。【解決手段】  頭部に装着する整形バイザー部１０と該バイザー部に取り付けて帽子を形成するキャップ部５０とを備え、整形バイザー部１０は、弾性を有する合成樹脂素材で形成する芯材を被覆材で被覆した装着部１１と、装着部１１から突出したひさし部１３よりなり、キャップ部５０は少なくとも整形バイザー部１０の装着部１１への取り付け部５１を備え、該キャップ部５０の取り付け部５１の周長は頭囲寸法より大きな寸法を有していることを特徴とする。【選択図】        図７
2006089879.tif 000002
【特許請求の範囲】
【請求項１】
頭部に装着する整形バイザー部と該バイザー部に取り付けて帽子を形成するキャップ部とを備え、
整形バイザー部は、弾性を有する合成樹脂素材で形成する芯材を被覆材で被覆した装着部と、装着部から突出したひさし部を具備し、キャップ部は少なくとも整形バイザー部の装着部への取り付け部を備え、
該キャップ部の取り付け部の周長は頭囲寸法より大きな寸法を有していることを特徴とする帽子。
【発明の詳細な説明】
【技術分野】
【０００１】
本発明は、整形バイザー部とキャップ部とを分離可能とした帽子に関する。
【背景技術】
【０００２】
帽子が２つの構成要素により構成され、各構成要素を組み合わせたり、単独で使用したりできる帽子は下記の特許文献に開示されている。
【特許文献１】特開平１１−５０３２１号公報
【特許文献２】実用新案登録第３００６７２１号公報
【特許文献３】実用新案登録第３０９７１５５号公報
【特許文献４】実公平７−５４２４８号公報
【発明の開示】
【発明が解決しようとする課題】
【０００３】
上記各特許文献に開示されている帽子は、頭部を被覆する帽子部分と帽子に組み合わせるひさし部とを有し、帽子部分とひさし部とを結合、あるいは分解して単独で使用するものである。
しかし、これらの帽子は頭部に装着することにより、頭髪が押しつぶされてしまい、帽子を脱いだときのヘアースタイルが崩れてしまう不都合があった。
そこで、本発明は、上記課題を解決すべく、整形バイザー部とキャップ部をそれぞれ単独で装着可能であって、かつ、整形バイザー部とキャップ部を組み合わせて帽子を形成できるとともに、頭部に装着してもヘアースタイルを崩すことの無い帽子を提供するものである。
【課題を解決するための手段】
【０００４】
本発明の帽子は、弾性を有する合成樹脂素材で形成する芯材を被覆材で被覆した装着部と、装着部から突出したひさし部を具備し、頭部に装着する整形バイザー部と、該バイザー部に取り付けて帽子を形成するキャップ部とを備えている。そして、キャップ部は少なくとも整形バイザー部の装着部への取り付け部を備え、該キャップ部の取り付け部の周長は頭囲寸法より大きな寸法を有していることを特徴とする。
【発明の効果】
【０００５】
整形バイザー部、およびキャップ部はそれぞれ単独で装着可能であって、整形バイザー部とキャップ部を組み合わせて帽子を形成できる。さらに整形バイザー部、キャップ部、帽子を頭部に装着したとき、芯材を被覆材で被覆した装着部と、頭囲寸法より大きな周長寸法を有しているキャップ部により、頭髪を押圧することなくヘアースタイルを崩さない。
【発明を実施するための最良の形態】
【０００６】
以下、本発明を実施するための最良の形態を図面を参照して詳細に説明する。
図１は整形バイザー部の斜視図、図４はキャップ部の全体説明図である。
本発明の帽子は、整形バイザー部１０とキャップ部５０とを備えている。
【０００７】
整形バイザー部１０は頭部に取り付ける装着部１１と、装着部１１から突出するひさし部１３とよりなる。
装着部１１は開き部１５を介してほぼ馬蹄形状をなし、図２の線Ａ―Ａ断面図に示すように、弾性を有するポリウレタン等の合成樹脂素材で形成する芯材１１０と、その芯材１１０を被覆する被覆材１１５とで構成されている。被覆材１１５は肌さわりの良い素材、例えば、スエード、コーヂュロイ、編み生地などを用いている。そして、装着部１１は芯材１１０を介在する部分とその上部に被覆材１１５のみよりなる緩衝部１１７を有している。装着部１１の板厚寸法Ｗは５ｍｍ〜８ｍｍ、その高さ寸法Ｈは２．５ｃｍ〜３ｃｍとなっている。
【０００８】
ひさし部１３は装着部１１から突出する、整形バイザー部１０を装着した際に額方向前方に張り出す形状の板状体である。ひさし部１３の張り出しの長さは適宜変更できる。ひさし部１３は装着部１１と同様の素材、すなわち、芯材を被覆材で被覆したもの、あるいは合成樹脂板のみで形成している。また、ひさし部１３は整形バイザー部１０と一体成形されていてもよく、各パーツが連結されていてもよい。ひさし部１３と装着部１１の境界部１２には、整形バイザー部１０とキャップ部５０とを連結するための係止具１７が配設されている。係止具１７は装着部１１の中心位置Ｏから両先端部１８Ａ，１８Ｂ方向それぞれ等距離に、この実施例においては、２箇所形成されている。なお、係止具の数は必要に応じて、適宜に変更するものである。
【０００９】
キャップ部５０は整形バイザー部１０の装着部１１に重合して取り付ける取り付け部５１と、頭部を被覆するトップ部５３とを有する。取り付け部５１は少なくとも整形バイザー部１０の装着部１１の高さ寸法Ｈを有し、内側には整形バイザー部１０の係止具１７に掛留める留め具５５が係止具１７に対応する位置に固着されている。そして、後頭部にはサイズ調整具５７を配設している。サイズ調整具５７は、バックル，ボタン，布ファスナーなどを用いればよい。キャップ部５０の素材は整形バイザー部１０における被覆材と同じか類似する素材を用いている。さらに、キャップ部５０の取り付け部５１の周長は、通常の大人の頭囲寸法より大きな寸法に設定されている。
【００１０】
次に整形バイザー部１０、キャップ部５０を単独で装着する場合を説明する。
整形バイザー部１０を単独で頭部に装着する場合・・・図３参照
装着部１１の開き部１５を開き、装着部１１の両先端部１８Ａ、１８Ｂを額部分から耳と髪の生え際に差し込む。ひさし部１３は額の前方を覆って日よけの役目をなす。このとき、装着部１１は板厚が厚く、肌さわりの良い被覆材１１５で被覆されているので、頭部への締め付け力を緩和できるにも拘らず、装着ずれを防止し、装着感が良好となる。
【００１１】
キャップ部５０を単独で頭部に装着する場合・・・図５参照
前頭部（額部分）にキャップ部５０の前部分を当て、頭全体を覆うようにキャップ部５０を被せる。着用心地によりサイズ調整具５７により調整する。このとき、キャップ部５０の取り付け部５１の周長を、頭囲寸法より大きな寸法としているので、頭髪を押圧することなく、ルーズに着用できる。
【００１２】
次に整形バイザー部１０とキャップ部５０を組み合わせた状態を説明する。
整形バイザー部１０にキャップ部５０を取り付けて帽子とする場合・・図６．図７．図８参照
先ず、図６に示すように、キャップ部５０の前部分を整形バイザー部１０の装着部１１の中心位置Ｏに合わせ、整形バイザー部１０の係止具１７にキャップ部５０の留め具５５を掛けとめ、整形バイザー部１０とキャップ部５０を連結する。すなわち、キャップ部５０と整形バイザー部１０との連結は、係止具１７と留め具５５との掛け止め位置である中心位置Ｏから両先端部１８Ａ，１８Ｂ方向にそれぞれ等距離の２箇所のみとなる。そして、上記２箇所以外のキャップ部５０は規制されることがなく、自由端となり、キャップ部５０の自重で頭部を被う。上記キャップ部５０はその周長を長く、例えば図７に示すように、中心位置Ｏから調整具５７配設位置までの長さ寸法Ｌを大きくしているので、キャップ部５０は後頭部分を押圧することなく、頭部を被覆することができる。例えば、通常の帽子の着用状態が図８に破線ａで示す状態とすると、この実施の形態で説明した帽子１００の着用状態は被覆面積が大きく、頭部を締め付けることがない。また、整形バイザー部１０の装着部１１の板厚が厚く、肌さわりの良い被覆材１１５で被覆され、さらに、上端縁の被覆材１１５のみからなる緩衝部１１７が頭部側部への締め付けを緩和させ、厚い装着部１１の上に頭髪がかかるので、側部の髪が必要以上に締め付けられることがない。従って、ヘアースタイルを帽子の締め付けによって崩すことが無い。
【図面の簡単な説明】
【００１３】
【図１】整形バイザー部の斜視図。
【図２】図１線Ａ−Ａの断面図。
【図３】整形バイザー部を装着した説明図。
【図４】キャップ部の全体説明図。
【図５】キャップ部を装着した説明図。
【図６】帽子の着用の説明図。
【図７】帽子の全体説明図。
【図８】帽子を装着した説明図。
【符号の説明】
【００１４】
１０  整形バイザー部
１１  装着部
１３  ひさし部
１５  開き部
１７  係止具
５０  キャップ部
５１  取り付け部
５３  トップ部
５５  留め具
５７  サイズ調整具
１００  帽子
１１０  芯材
１１５  被覆材
１１７  緩衝部
【図１】
2006089879.tif 000003
【図２】
2006089879.tif 000004
【図３】
2006089879.tif 000005
【図４】
2006089879.tif 000006
【図５】
2006089879.tif 000007
【図６】
2006089879.tif 000008
【図７】
2006089879.tif 000009
【図８】
2006089879.tif 000010